(57)【要約】【課題】補強芯片の逆そりを防ぐため、該補強芯片の裏面側に裏補強芯地を取付けて側面部の強度を高めたランドセルを提供する。【解決手段】背負帯（９）を具えた背板（１２）と該背板の前方に位置する中板（１８）との間を、底板（１４）と両側面板（１３，１３）とで上方を開口させた収容部（１１）を設け、前記背板の上端に該収容部の上方を開閉する被い蓋（３５）の基端部を縫着してなるランドセル（１０）において、前記収容部の両側面板（１３，１３）を形成する芯板材（１５）の上部外側に補強芯片（５）を取り付けると共に、熱プレス加工により補強リブ部（２５）を設けた裏補強芯地（２０）を該芯板材の上部内側に接着してある。【選択図】　図１
0003099070.tif 000002
【実用新案登録請求の範囲】
【請求項１】
背負帯（９）を具えた背板（１２）と該背板の前方に位置する中板（１８）との間を、底板（１４）と両側面板（１３，１３）とで上方を開口させた収容部（１１）を設け、前記背板の上端に該収容部の上方を開閉する被い蓋（３５）の基端部を縫着してなるランドセル（１０）において、
前記収容部の両側面板（１３，１３）を形成する芯板材（１５）の上部外側に補強芯片（５）を取り付けると共に、熱プレス加工により補強リブ部（２５）を設けた裏補強芯地（２０）を該芯板材の上部内側に接着してなることを特徴とするランドセル。
【請求項２】
前記裏補強芯地（２０）は、補強芯材（２１）の片面に熱硬化性樹脂からなる裏張芯材生地（２２）を接着し、該補強芯材（２１）及び裏張芯材生地を高温でプレス加工により少なくとも１ケ以上の補強凸部（２３）と平坦面（２４）とからなる補強リブ部（２５）を設けてなることを特徴とする請求項１記載のランドセル。
【考案の詳細な説明】
【０００１】
【考案の属する技術分野】
本考案は、学童用ランドセルの側面部の上部を補強したランドセルの改良に関するものである。
【０００２】
【従来の技術】
従来、学童用のランドセルは、教科書やノートなどを入れて運搬するだけでなく、登下校中に乱暴に扱うことがあるためランドセルの傷みが激しい。特に、教科書やノートを頻繁に出し入れするため、上方に開口を設けたランドセルの収容部の両側面部分はマチ部が広いので、補強しないと短期間に変形してしまう。そのため、図５，６に示すように、ランドセルに設けた収容部の両側にそれぞれ位置する側面部１３ａに内臓させたボードなどの芯材３の上部外側に、上部を前記側面部１３ａの上部形状にあわせて弧状に形成して上下が短い補強芯片５を芯材３の上部外側に接着して補強している。しかし、この補強芯片５によって側面部１３ａが逆そりして型崩れや変形が生じる欠点があった。
【０００３】
そのため、ランドセルの収容部の開口付近、特に、両側に位置する両側面部１３ａの上部外側には、図５、６に示すごとく、芯材３の他に厚紙や合成樹脂板さらには鉄板などの上部を弧状に形成した補強芯片５を前記芯材３の上部外面に接着し、該補強芯片５の表側は本革または合成皮革などからなる表地６で覆い、また、該芯材３の上部内側を合成繊維などからなる裏地７で覆って縁部分を縁取片８でＵ字状に包んで縫着して形成してある（例えば、特許文献１参照。）。
【０００４】
【特許文献１】
特開平８−６６２２２号　第２〜３頁　図４
【０００５】
また、補強範囲をランドセルの収容部の両側面部だけでなく、前側まで広げて補強することにより収容部の上方に位置する開口部分の型崩れや変形を防止することも行われている（例えば、特許文献２参照。）。
【０００６】
【特許文献２】
登録実用新案第３０２２４０３号　第２〜３頁　図２
【０００７】
さらに、ランドセルの収容部の開口部分の周縁全体に補強芯板を取付けて補強することも行われている（例えば、特許文献３参照。）。
【０００８】
【特許文献３】
特開昭６１−１５８２１７号　第３−５頁　図１
【０００９】
図５、６に示すように、合成樹脂材の上部を弧状にし上下方向を短く形成した補強芯片５を両側面部１１の上部外側に接着補強しても、ランドセルの前後方向や側面からの圧力や衝撃などに弱いため逆そりし、一度変形すると元の形状に戻すことは困難である。
【００１０】
そのため、補強芯片５に強度を持たせるため厚くしたり、形状記憶樹脂板を使用したり、さらには、鉄板などを使用して側面部の強度を高めて型崩れや変形を防止している。
【００１１】
【考案が解決しようとする課題】
補強芯片５の強度を高めるため合成樹脂板の厚さを厚くしたり、形状記憶樹脂板を使用したりするとコストが上昇して不経済となり、鉄板を使用するとランドセルが重くなるという問題点を有している。
【００１２】
そこで本考案は、補強芯片の逆そりを防ぐため、該補強芯片の裏面側に裏補強芯地を取り付けて強度を高めたランドセルを提供することを目的とする。
【００１３】
【課題を解決するための手段】
上記課題を解決するための手段として、本考案は、背負帯９を具えた背板１２と該背板の前方に位置する中板１８との間を、底板１４と両側面板１３，１３とで上方を開口させた収容部１１を設け、前記背板の上端に該収容部の上方を開閉する被い蓋３５の基端部を縫着してなるランドセル１０において、前記収容部の両側面板１３，１３を形成する芯板材１５の上部外側に補強芯片５を取り付けると共に、熱プレス加工により補強リブ部２５を設けた裏補強芯地２０を該芯板材の上部内側に接着してなることを特徴とする。また、前記裏補強芯地２０は、補強芯材２１の片面に熱硬化性樹脂からなる裏張芯材生地２２を接着し、該補強心材２１及び裏張芯材生地を高温でプレス加工により少なくとも１ケ以上の補強凸部２３と平坦面２４とからなる補強リブ部２５を設けてなることを特徴とする。
【００１４】
したがって、ランドセルの側面部に内臓させた芯板材１５は、その上部外側には補強芯片５を接着し、また、その上部内側には裏補強芯地２０を接着させたことにより該側面部１３を一段と強化させて逆そり等の変形を防いで強化したランドセルを得ることができる。
【００１５】
【考案の実施の形態】
本考案の実施の形態を図面に基づいて説明すると、図１はランドセルの被い蓋を開いた状態の斜視図、図２は本発明に係る裏補強芯地の正面図、図３は図２のＡ−Ａ線断面図、図４はランドセルの側面部の要部拡大断面図である。ランドセル１０は、教科書やノートなどを収容する大型の収容部１１と、その他の学習用具などを入れる同じく小型の第２の収容部３０、さらに、ジッパーで上部を開閉可能に形成したポケット部４０を形成してある。
【００１６】
この収容部１１は、学童の背中に当たる背板１２の上部中央に背負帯９の上部を取り付け、該背板の前方に位置した中板１８との間を底板１４および両側面部１３，１３で連結して四方に壁面部を有した収容部１１を形成し、この収容部１１の上方に開口を設けてある。
【００１７】
背板１２は、例えば、不織布に合成樹脂材を含浸させて硬化させたもの、ボール紙に合成樹脂材を含浸させて硬化させたもの、あるいは、合成樹脂板などで形成した芯板（図示せず）の外側に、発泡性合成樹脂材などで形成したクッション地（図示せず）と、皮革または合成皮革などの表地（図示せず）などを接着して形成し、前記芯板の内側には合成繊維材などの裏地（図示せず）を接着して形成してある。
【００１８】
側面部１３は、不織布に合成樹脂材を含浸させて硬化させたものやボール紙に合成樹脂材を含浸させて硬化させて形成したもの、あるいは、合成樹脂板などで形成してある。この芯板材１５の上部外側には、従来から補強芯片５を接着してある。そのため、芯板材１５の上部は該補強芯片５によって外側に逆そりが生じて変形することがある。
【００１９】
芯板材１５の上部内側に接着させる裏補強芯地２０は、例えば、発売元モリト株式会社の熱硬化保型芯素材である商品名「ヌーバークロス」を使用し、ボードなどの補強芯材２１に当接させて高温で加熱すると硬化する性質を利用する。この性質を利用して、補強芯材２１と裏張芯材生地２２を接着して例えば約９０℃程度の高温でプレス加工して、ボードなどの補強芯材２１と熱硬化保型新素材である裏補強芯地２０とを圧着させると共に、凹凸面を形成して補強リブ部２５を設けることにより、殆ど厚みを増加させることなく強度を高めて前記補強芯片５の逆そりを防いで強度を高めることができる。
【００２０】
図３、４において、薄い裏張芯材生地２２は、熱硬化性樹脂材で、例えば８０〜１００℃、好ましくは約９０℃程度の高温で熱処理しながらプレス加工すると熱硬化する性質を有するものである。この裏張芯材生地２２をボードや合成樹脂材からなりやや厚みがあり、従来から一般に使用されているボード状の補強芯材２１に接着させて高温で加熱しながらプレス加工することにより、側面部１３に、一定の幅、例えば１０〜３０ｍｍ、好ましくは約１５ｍｍ程度の幅をした直線状または弧状をした補強凸部２３とその間に平坦面２４を交互に位置させることにより、あたかも凹部（平坦面）と凸部とを交互に形成した補強リブ部２５を設けてある。そのため、この裏補強芯地２０により補強芯片５の逆そりを防止することができる。
【００２１】
芯板材１５の上部外側に接着等により取り付けた補強芯片５の表面には、皮革または合成皮革などからなる表地１６を装着してあり、また、該芯板材１５の上部内側に接着等により取り付けた裏補強芯地２０の裏面には、合成繊維材などで形成した裏地１７を装着してある。この表地１６と補強芯片５と芯板材１５と裏張補強芯地２０と裏地１７の上方部分は、細巾の縁帯片２８でＵ字状に包んで縫着してある。
【００２２】
第２の収容部３０は、中板１８とポケット前板３８との間に短く形成した枠板３１からなり、前記中板１８や前記前板３８には、前記芯板と同様に不織布に合成樹脂材を含浸させて硬化させたもの、ボール紙に合成樹脂材を含浸させて硬化させたもの、あるいは、合成樹脂板などで形成した芯板（図示せず）の外側に、皮革または合成皮革などからなる表地（図示せず）を接着し、芯板の内側には合成繊維材などで形成した裏地（図示せず）をそれぞれ接着してある。
【００２３】
ポケット部４０は、ポケット前板３８の表側に、皮革または合成皮革などからなる表地と合成繊維材などで形成した裏地を接着して袋状に形成し、上部に設けた開口部にジッパー４２を取付けて開閉可能に形成し、正面中央に透明な表示窓部４３を設けてある。
【００２４】
裏補強芯地２０の厚さは、従来の補強芯片５とほぼ同じであるにもかかわらず、補強芯材２１の片面に薄い裏張芯材生地２２を接着し、高温でプレス加工して熱硬化させることにより、重量増加や厚みの増加をほとんど伴うことなく裏補強芯地２０の強度を飛躍的に高めることができる。したがって、ランドセル１０の収容部１１の開口が外部からの圧力や衝撃によって変形したり型崩れするのを防止することができ、且つ、補強芯材２１の厚さは従来の補強芯とほとんど変わらないので、軽量でコストも安価であって経済的ある。
【００２５】
図２、３に示すごとく、裏補強芯地２０は、補強芯材２１の一面に熱硬化性を有する合成繊維材により形成した裏張芯材生地２２を接着させた後、前記補強芯材２１と裏張芯材生地２２とを、例えば９０℃程度の高温状態でプレス加工し、補強芯材２１の上方部分に該補強芯材の上端部と同形の略扇形に形成し、少なくとも１ケ以上の補強凸部２３を設けてある。本実施例では２ケ設けてある。
【００２６】
従来の補強芯である合成樹脂製のボードを熱プレス加工して，例えば、補強用の凸部を形成すると、ボードが割れたり、ひびが入りやすいため補強凸部２３を形成することが困難であった。之に対し、本発明の裏補強芯地２０は、構成部材の一方の補強芯材２１の片面全体に、同じく構成部材の他方の熱硬化性を有する特殊な裏張芯材生地２２（商品名：ヌーバクロス、発売元、モリト株式会社）を接着させた後、例えば約９０℃程度の高温でプレス加工することにより、少なくとも１ケ以上の補強凸部２３を有した補強リブ部２５を設けて、裏張芯材生地２２と補強芯材２１とが表裏一体となって裏補強芯地２０の強度が一段と高まり、割れにくく、ひび割れが入るのを防止できる。
【００２７】
この裏補強芯地２０の補強芯材２１は縦長に形成し、且つ、高温プレス加工により少なくとも１ケ以上の補強凸部２３を裏補強芯地２０の上方に設けたことにより、収容部１１の開口部付近に加わる前後方向からの衝撃や圧力に対し有効に作用させて、開口部付近の変形を防止することができる。
【００２８】
裏補強芯地２０の下方に小孔２７を設けたことにより、ランドセル１０の側面部１３の外側上部と、該側面部１３の上部内側に取り付けた裏補強芯地２０とを固定するハトメ３３の挿通を容易にしてある。さらには、前記ハトメ３３で、補強紐３４、表地１６、芯板材１５、裏補強芯地２０および裏地１７をそれぞれ固着できるので、ランドセルを放り投げるような強い衝撃にも補強芯板の位置がズレたりすることがない。
【００２９】
【考案の効果】
本考案に係るランドセルは、収容部１１の側面部１３に内臓して上部外側に補強芯片５を取り付けた芯板材１５の上部内側に、熱硬化性を有する裏張芯材生地２２を補強芯材２１に接着させて高熱プレス加工して形成した裏補強芯地２０を装着したことにより、収容部１１の型崩れや変形を防止し、ランドセルを頑丈で長持ちさせることがきる。また、裏補強芯地２０に補強凸部２３と平坦面２４とを設けて補強リブ部２５を設けたことにより、側面部１３の上方の開口部分の強度を高め、長期間使用しても変形しない頑丈なランドセルを提供することができるものである。
【図面の簡単な説明】
【図１】本考案に係るランドセルの被い蓋を開いた状態の斜視図である。
【図２】本考案に係る裏補強芯地の正面図である。
【図３】図２におけるＡ―Ａ線方向断面図である。
【図４】ランドセルの側面部の要部拡大断面図である。
【図５】従来のランドオセルの側面部を外側から見た正面図である。
【図６】従来のランドセルの補強芯を示す一部拡大した断面図である。
【符号の説明】
５　　補強芯材
９　　背負帯
１０　　ランドセル
１１　　収容部
１２　　背板
１３　　側面部
１４　　底板
１５　　芯板材
１６　　表地
１７　　裏地
１８　　中板
２０　　裏補強芯地
２１　　補強芯材
２２　　裏張芯材生地
２３　　補強凸部
２４　　平坦面
２５　　補強リブ部
３５　　被い蓋
【図１】
0003099070.tif 000003
【図２】
0003099070.tif 000004
【図３】
0003099070.tif 000005
【図４】
0003099070.tif 000006
【図５】
0003099070.tif 000007
【図６】
0003099070.tif 000008